(57)【特許請求の範囲】
【請求項１】
地面を掘り下げた掘削穴の対向する２面または方形状の４面に立設されたパネル群(10)の内面に配設されてパネル群(10,10)どうしの間隔を保持させるために用いられる、少なくとも一対が長さ調節自在とされたフレームを含む二対４本のフレーム(1,1)(2,2)を方形状に組み付け連結するための連結具(C)であって、
前記各フレーム(1,2)が、長手方向両端部に上下方向に開口する穿孔(12,22)を有する連結部(11,21)を備え、
前記連結具(C)が、上下方向中間部のフランジ部(31)を挟んでその上下に前記穿孔(12,22)と嵌合する胴部(32,33)を備え、その上下両端部に螺合ネジ(34,35)を有する金具本体(3)と、
前記螺合ネジ(34,35)とそれぞれ螺合する連結ネジ(4,5)とによって構成されている土留め用枠体連結具。
【請求項２】
地面を掘り下げた掘削穴の対向する２面または方形状の４面に立設されたパネル群(10)の内面に配設されてパネル群(10,10)どうしの間隔を保持させるために方形状に組み付け連結される、少なくとも一対が長さ調節自在とされたフレームを含む二対４本のフレーム(1,1)(2,2)からなる枠体であって、
各フレーム(1,2)が、長手方向両端部に上下方向に開口する穿孔(12,22)を有する連結部(11,21)を備えていて、
別途形成された土留め用枠体連結具(C)の金具本体(3)における、上下方向中間部に形成されたフランジ部(31)の上下に連設された上部胴部(32)と下部胴部(33)とが、前記穿孔(12,22)に嵌め込まれ、これら胴部(32,33)の上下端に形成されたそれぞれの螺合ネジ(34,35)に螺合された連結ネジ(4,5)によって、前記連結部(11,21)が前記フランジ部(31)をスペーサーとして上下方向に締結され、
前記４本のフレームが方形状に組み付けられている土留め用枠体。
【発明の詳細な説明】
【技術分野】
【０００１】
本発明は、例えばマンホールや浄化槽埋設用掘削穴や、電線・通信線等のケーブル保護管や上下水道管等の敷設用掘削溝穴を形成するに当たって、作業中に掘削穴や掘削溝穴が崩壊することを防止し、崩壊によって人身事故が起きることを回避するためにその周囲に立て込まれるパネル（矢板）を適正姿勢に保持させる土留め用枠体を連結する連結具と、その連結具を用いて組み立てられた土留め用枠体に関するものである。
【背景技術】
【０００２】
従来からこの種のマンホールや浄化槽を地中に埋設するための掘削穴や、上下水道管等の管体を敷設するための掘削溝穴（以下特に区別の必要のある場合を除き、両穴を含めて掘削穴という）は、先ずマンホール設置箇所をバックホーやショベル機等の掘削機によって地表面近くの土を掘り起こして浅い掘削穴を形成し、この掘削穴の４周に複数のパネル板を順次立て込み、その内部を更に深く掘り下げて所要深さの掘削穴を形成し、この掘削穴の周囲に立て込まれたパネル群壁の中に、地上で予め方形状に組み立てられた土留め用枠体をショベル機等の掘削機を利用して吊り上げ穴の所要高さ位置まで吊り下げて、長さ調節自在（伸縮自在）とされたフレームを伸長させてパネル群壁に当てつけて掘削穴内の土砂の崩壊を防ぐ方法がとられている。
【発明の開示】
【発明が解決しようとする課題】
【０００３】
このような従来のマンホール埋設工事では、マンホールを埋設するのに必要な大きさと深さの掘削穴を形成するためには、左右方向のパネル群間及び前後方向のパネル群間を確実に突っ張り保護するための各フレームの伸長操作を掘削穴内において行わなければならないため、作業者に対する危険性が常に存在し、この安全策としてのパネルの倒壊防止作業が手数を要し作業効率を大幅に低下させる一因となっていた。
【０００４】
そこで、本出願人は、人身への危険性回避の手段として、後記特許文献１及び２に記載のように、作業者がマンホール設置用の掘削穴内や、敷設管埋設用の掘削溝内に入ることなく、地上からの操作によって土留め用枠体を構成するフレームの伸長操作を行うことができる構造とした伸縮自在フレームを開発し特許を受けている。また、特許文献３にみられるように、この伸縮自在としたフレームの伸縮操作を地上から手動操作する操作棒をも開発し特許を受けている。
【特許文献１】特許第３０１５８６４号公報
【特許文献２】特許第２９１３４６８号公報
【特許文献３】特許第２８６９６４６号公報
【０００５】
引用文献１に記載の伸縮自在フレームは、フレームの横に上向きに突出させた操作軸を地上から回転操作する構造としたものであり、引用文献２に記載の伸縮自在フレームは、液圧や空気圧のような流体圧で操作するジャッキをフレーム内に組み込んだものとし、液圧ポンプのホースを連結してフレームの伸縮操作を地上から行うようにしたものであり、引用文献３に記載の操作棒は、引用文献１に記載のような操作軸を備えた伸縮自在フレームの操作軸を地上から回転操作する構造としたものである。
【０００６】
本発明は、このような既に先行提案しているような、地上からの伸縮操作を可能としたフレームを使用して、作業者が掘削穴や掘削溝内に入ることなく、地上からの吊り降ろし操作によって土留め用枠体の掘削穴内への挿入と伸縮調整とを可能とし、パネルの倒壊を確実に防止でき、浄化槽や埋設管の設置作業後の土留め用枠体の掘削穴内からの解体作業をも地上からの操作で迅速円滑に完了させることができ、作業者への危険性を排除しながら、作業効率をも向上させさせることができるようにした土留め用枠体の組み立てに使用する連結具と、この連結具を用いて組み立てた土留め用枠体を提供することを目的とするものである。
【課題を解決するための手段】
【０００７】
この目的を達成するために講じた本発明にいうところの土留め用枠体連結具の構成は、地面を掘り下げた掘削穴の対向する２面または方形状の４面に立設されたパネル群１０の内面に配設されてパネル群１０，１０どうしの間隔を保持させるために用いられる、少なくとも一対が長さ調節自在とされたフレームを含む二対４本のフレーム１，１、２，２を方形状に組み付け連結するための連結具Ｃであって、
前記各フレーム１，２が、長手方向両端部に上下方向に開口する穿孔１２，２２を有する連結部１１，２１を備え、
前記連結具Ｃが、上下方向中間部のフランジ部３１を挟んでその上下に前記穿孔１２，２２と嵌合する胴部３２，３３を備え、その上下両端部に螺合ネジ３４，３５を有する金具本体３と、
前記螺合ネジ３４，３５とそれぞれ螺合する連結ネジ４，５とによって形成されている構成としたものである。
【０００８】
また、この連結具を用いた土留め用枠体の構成は、地面を掘り下げた掘削穴の対向する２面または方形状の４面に立設されたパネル群１０の内面に配設されてパネル群１０，１０どうしの間隔を保持させるために方形状に組み付け連結される、少なくとも一対が長さ調節自在とされたフレームを含む二対４本のフレーム１，１、２，２からなる枠体であって、
各フレーム１，２が、長手方向両端部に上下方向に開口する穿孔１２，２２を有する連結部１１，２１を備えていて、
別途形成された土留め用枠体連結具Ｃの金具本体３における、上下方向中間部に形成されたフランジ部３１の上下に連設された上部胴部３２と下部胴部３３とが、前記穿孔１２，２２に嵌め込まれ、これら胴部３２，３３の上下端に形成されたそれぞれの螺合ネジ３４，３５に螺合された連結ネジ４，５によって、前記連結部１１，２１が前記フランジ部３１をスペーサーとして上下方向に締結され、
前記４本のフレームが方形状に組み付けられている
構成としたものである。
【発明の効果】
【０００９】
本発明にいうところの土留め用枠体連結具は、少なくとも一対を長さ調節自在とされたフレームを含む二対４本のフレームを方形状に組み付け連結するための連結具であって、
各フレームが、長手方向両端部に上下方向に開口する穿孔を有する連結部を備えたものとされ、連結具が、上下方向中間部のフランジ部を挟んでその上下に前記穿孔と嵌合する胴部を備え、その上下両端部に螺合ネジを有する金具本体と、これらの螺合ネジとそれぞれ螺合する連結ネジとによって構成されているものとしてあるので、各フレームどうしの連結に当たっては、一対のフレームの両端に形成してある連結部の穿孔に対して、金具本体の上部胴部を上向きに突出させた状態として下部胴部を連結し、他の一対のフレームを、上向きに突出した上部胴部に対して両端の穿孔を嵌合させて連結することができるので、フレームの組み立てを容易迅速にでき、この組み立て枠体の地上からの吊り降ろし操作によって掘削穴内への挿入と伸縮調整とを迅速に行えるものでありながら、殊に、狭小な工事現場のゆえに、組み立て枠体を吊り上げて地上から掘削穴内に吊り降ろすことができない場合であっても、両端に金具本体の上部胴部を上向きに突出させた状態とした一対のフレームを、パネル群の前面に沿わせて個々に尽力で吊り下げて配置し、このフレーム上に他の一対のフレームを個々に吊り下げて先行降下フレームと地上からの操作によって連結し、パネル群の突っ張り作用をさせることにより、地上からの全ての操作でパネル群の倒壊を確実に防止することができる。
【００１０】
更に、このパネルの倒壊防止状態下で、浄化槽や埋設管等の設置作業後における土留め用枠体の掘削穴内からの解体吊り上げ作業も、地上からのボルト弛緩操作によって、フレームの組み付けを地上から解除し、引き上げることによって、枠体の解体作業も迅速円滑に完了させることができ、作業者への危険性を排除しながら、浄化槽等の地中への埋設作業を効率よく完了させることができるという効果を期待することができる。
【００１１】
また、本発明にいうところの土留め用枠体は、枠体を構成するフレームのうち、少なくとも一対を長さ調節自在なものとし、このフレームを含む二対４本のフレームを、各フレームが、長手方向両端部に上下方向に開口する穿孔を有する連結部を備えたものとし、これらの穿孔を利用して、枠体連結具の金具本体における上下方向中間部に形成されたフランジ部の、上下に連設された上部胴部と下部胴部とを、前記穿孔に嵌め込んで、これら胴部の上下端に形成されたそれぞれの螺合ネジに対する連結ネジでのネジ連結によって、フランジ部をスペーサーとして、フレームの連結部どうしを上下方向に締結して４本のフレームを方形状に組み付けることができるようにしてあるので、両端に金具本体の上部胴部を上向きに突出させた一対のフレームを、ショベルカーやバックホー等の小形の掘削機や人力によって個々に吊り下げて穴内に配設し、他の一対のフレームを同様にして個々に吊り下げて穴内に降ろして、先行配置した一対のフレームに対して組み立て連結できるため、方形状に組み付けた枠体を穴内に吊り降ろせないような狭小な工事現場においても、地上からの操作で安全にパネル群の倒壊防止を確実に行うことができる利点がある。また、穴内での浄化槽や埋設管等の設置作業後における枠体の解体作業にあっても、地上からのボルトの締め付け解除操作によって、フレームを個々に分解して吊り上げることができる大いなる利点を期待できるものである。
【発明を実施するための最良の形態】
【００１２】
本発明を実施するに当たっては、金具本体３の上下胴部３２，３３の上下端に形成する螺合ネジ３４，３５は、これを突出ボルトとし、これと嵌合するネジをナットとして実施することができる。本発明にいう土留め用のパネルは、鋼矢板に限らずアルミ製のものや木製のものでもよく、特に材質を問われるものではない。また、本願発明にいうところの連結具の構成部品にあっても、鉄金属に限らず、アルミダイキャスト製やその他の非鉄金属や合成樹脂成形品や、合成樹脂素材で金属をモールドした金属インサート製品であってもよい。
【実施例】
【００１３】
以下、本発明の実施例について図面に基づいて説明する。図１乃至図７は本発明の第１実施例について示したものである。図１は枠体連結具の分解斜視図、図２は同連結具の分解側面図、図３は枠体の端部構造と連結具との連結手段を説明する分解斜視図、図４はフレームどうしの連結状態を示す斜視図、図５は同連結状態を示す側面図、図６はフレームの組み立て状態を示す斜視図、図７はフレームの伸縮構造例を説明するシリンダの要部の縦断面図である。
【００１４】
而して、該実施例に示した枠体連結具Ｃは、図１及び図２に示したように、大別すると金具本体３と連結ネジ４，５との３部材からなっている。該実施例に示した金具本体３は、全体として短尺の円筒体状に形成されていて、その上下方向中間部には同心状とした円形のフランジ部３１をフランジ状に形成してあり、このフランジ部３１を挟んでその上下に胴部３２，３３を形成してあり、その内部には全長に亘って雌ねじを貫通形成してあり、その上下両端からボルトを挿入螺合する螺合ネジ３４，３５としてある。また、前記連結ネジ４，５は、これらの螺合ネジ３４，３５に螺合する雄ねじとしてある。
【００１５】
これらの雌ねじとした螺合ネジ３４，３５は、上下の胴部３２，３３から上下に突出させた雄ねじとし、連結ネジ４，５を雌ねじとして実施してもよいことは言うまでもない。また、該実施例では、上下の胴部３２，３３と連結ネジ４，５との間に、それぞれの胴部３２，３３を覆う形状とした袋ナット６，７を介在させて座金代用としてある。この袋ナット６，７についても通常の円盤座金を使用してもよく、座金付きボルトを使用してもよい。
【００１６】
該実施例に示した前記上下の胴部３２，３３は、下部の胴部３３の径に比して上部の胴部３２の径を小径とし、その上端部を円錐状に形成してある。このように形成しておくことによって、後述するフレーム１または２の一対をその両端の連結部１１または２１に形成してある穿孔１２または２２に、前記金具本体３の上部胴部３２を上向きに突出させた状態として金具本体３を連結した状態で、他の一対のフレーム２または１に先行して掘削穴内の所定位置に降下させ、続いて、残る一対のフレーム２または１を降下させて、その両端の穿孔２２または１２を上部胴部３２に嵌合させ、地上からボルトで連結する操作を容易にできるようにするためのものである。この構造は、掘削穴内での作業終了後において、地上からボルトの解除操作をして、連結部１１，２１が上位のフレーム１または２を個々に地上に引き上げる操作時にも、上部胴部３２から容易に外し得るように配慮したものでもある。
【００１７】
本実施例の枠体連結具Ｃは、以上のように形成してあるものであって、これを用いてフレームどうしの連結を行うには、図３に示したように、左右二本のフレーム１，２の端部に一体的に水平方向に向けて突出連設させてある連結部１１，２１の高位置側の連結部２１の穿孔２２に対して金具本体３の下部胴部３３を挿入し、下方から下部袋ナット７を介して下部連結ネジ５で締め付け連結する。このとき、上部胴部３２は上向きに突出しているので、その上方から他方のフレーム１の連結部１１を降下させてその穿孔１２と胴部３２とを嵌合させ、その上方から上部袋ナット６を介して上下部連結ネジ４で締め付け連結する。この連結部の側面形状を図拡大して示すと図５のようになる。
【００１８】
同様の操作を四隅部分で行い図６に示したように、二対４本のフレーム１，１と２，２とを方形状に組み付けて方形状とした土留め用枠体を形成する。該図６に示した土留め用枠体は、二対４本のフレーム１，１と２，２との長さをほぼ同じ長さとしたものを用いて例えばマンホールや浄化槽の埋設に多く用いられる略正方形状の枠体としたものを示してある。
【００１９】
而して、本発明にいうところの伸縮自在としたフレーム構造の一例として、流体圧利用シリンダの内部構造を参考までに例示しておくと、図７に示したように、ここに示した伸縮フレーム１は、長手方向の両端近くにワイヤー・ロープ等の係止用吊り下げ環ｒ，ｒと油圧等の流体圧ホースを接続するノズルｎ，ｎとを備え、流体圧をピストンｐで受け止めて長さを伸縮する構造としたものである。言うまでもなく、この伸縮手段は油圧等の流体圧を利用したものに限らず、例えば、前記引用文献１に記載のネジ軸の回転による伸縮機構としたものであってもよい。
【００２０】
図８は、前記二対のフレーム１，１、２，２のうち、一対のフレーム１，１の長さと他の一対のフレーム２，２の長さとを異なるものとして、長方形状の枠体を得る場合の枠体を例示したものである。前記図６の枠体並びに該図８の枠体は、二対４本のフレーム１，１と２，２とを何れも伸縮自在構造としたフレームについて示してあるが、例えば水道管やケーブル保護管の埋設に際して形成される掘削溝に使用する場合には、何れか一対のフレームを伸縮しないものとすることができる。
【００２１】
図９及び１０は、腹起こしフレームを支持させる腹起こしホルダーの説明図であって、長尺のチャンネル形鋼材の上下方向に所定間隔で複数のブラケット掛止孔ｈを穿設した腹起こしフレームのホルダーＨを形成し、これをその上端に連結固定した下向きコの字形の矢板への掛止用ブラケットｂを利用して、先行打設パネル群１０の適宜のパネル１０ａに引っ掛けてパネル群１０の内面に沿って垂下させ、予め選択した適宜高さのブラケット掛止孔ｈに係合させた側面視コの字形のフレーム受けブラケットＢを掘削穴内に向けて突出させる。同様にして、所定の間隔を隔てて同じ面のパネル群１０にもう一つの腹起こしホルダーＨを吊り下げて、フレーム受けブラケットＢを突出させる。地上から吊り下げたフレームをこのフレーム受けブラケットＢ，Ｂ上に載せて支持させる。対向する側のパネル群１０にも、同様にして二つのブラケットＢ，Ｂを突出させ、フレームを吊り下げて載置させる。続いて、これら一対のフレームの両端に突出形成された連結部上に、他の一対のフレームの連結部をそれぞれ載置して、その重合部を地上からの操作でネジ連結し、方形状の枠体を掘削穴内で組み立てる。
【００２２】
図１１及び１２は、前記金具本体３に対して螺嵌する締め付けネジの別実施例を示したもので、該実施例に示した締め付けネジ４１，５１は実質的に同じもので、前記第１実施例として記載した袋ナット６，７に相当する袋状としたナット６１，７１を合成樹脂の成形品とし、その成形時に金属ボルト４２，５２をインサート成形したものである。このネジ４１，５１は、図１２に示したように、上部に突出させた頭部６２，７２を六角ナット状とし、袋ナット６１，７１部分も角形レンチで弛緩操作ができるように四角ナット状に成形したものである。
【００２３】
また、図１３及び図１４は、それぞれ別構造としたの締め付けネジを示したもので、図１の締め付けネジ４３は、前記第１実施例に示した連結ネジ４を、頭部下部分に小径部４ａを形成してあるものとし、袋ナット６の内奥部において容易には落下しない程度に円盤ワッシャ６ａを嵌合させて、連結ネジ４と袋ナット６を不分離状態としたものである。図１４の締め付けネジ４４は、前記第１実施例に示した連結ネジ４を、連結ネジ部分と座金部分とを一体としたワッシャ付きボルトとしたものである。連結ネジとしてはこのようなボルトも使用することができる。
【００２４】
図１５及び図１６は、それぞれ連結具の別実施例を示したもので、図１５の連結具は、前記第１実施例に示した連結具における金具本体３の下部胴部３３のみを角柱形とし、この下部胴部３３と嵌合する下方側の連結部２１の穿孔２２も角孔とし、下部胴部３３の周り止め作用をさせ、上部胴部３２に対する連結ネジ４の締結及び弛緩時における金具本体３の共周りを回避させるようにしたものである。図１６に示した連結具は、上下の胴部３２，３３を角柱形とし、フレームの連結部１１，２１に形成してある穿孔１２，２２の形状もそれぞれに嵌合する角孔としたものである。但し、上部の角孔と上部胴部３２の角柱との間には、軸周方向に小許のクリアランスのあるものとしておき、フレーム１，２の伸縮操作の妨げとならないように配慮しておくのが好ましい。
【００２５】
以上本発明の実施例について説明したが、本発明は、これらの実施例に示した構造のみに限定されるものではなく、前記の構成要件を備え、前記の目的を達成し、前記の効果を備えている範囲内において、適宜に変更実施することができるものである。
【産業上の利用可能性】
【００２６】
本発明は、以上のように土留め用フレームを極めて容易に組み立て解体できるものであって、各フレームを地上において組み立てるだけでなく、各フレームを個々に掘削穴内に吊り下げて、地上からの操作で掘削穴内で組み立てることもでき、所要品の埋設後は掘削穴内に入ることなく、地上からの操作で解体作業も行うことができるので、この種の工事において大いに利用されるものと期待される。
【図面の簡単な説明】
【００２７】
【図１】枠体連結具の分解斜視図。
【図２】同連結具の分解側面図。
【図３】枠体の連結手段を説明する分解斜視図。
【図４】フレームどうしの連結状態を示す斜視図。
【図５】同連結状態を示す側面図。
【図６】フレームの組み立て状態を示す斜視図。
【図７】フレームの伸縮構造例を説明する縦断面図。
【図８】長方形状の枠体を示す斜視図。
【図９】腹起こしホルダーを示す斜視図。
【図１０】腹起こしホルダーの使用状態を示す斜視図。
【図１１】インサート成形したボルトを示す縦断面図。
【図１２】図１１のボルトの平面図。
【図１３】別構造の締め付けネジを示す縦断面図。
【図１４】更に別構造の締め付けネジを示す斜視図。
【図１５】連結具の別実施例を示した斜視図。
【符号の説明】
【００２８】
１  フレーム
１０  パネル群
１０ａ  パネル
１１  連結部
１２  穿孔
２  フレーム
２１  連結部
２２  穿孔
３  金具本体
３１  フランジ部
３２  上部胴部
３３  下部胴部
３４  螺合ネジ
３５  螺合ネジ
４  連結ネジ
５  連結ネジ
６  袋ナット
７  袋ナット
Ｃ  連結具
ｎ  エアーノズル
ｒ  吊り下げリング
【図１】
0004954840.tif 000002
【図２】
0004954840.tif 000003
【図３】
0004954840.tif 000004
【図４】
0004954840.tif 000005
【図５】
0004954840.tif 000006
【図６】
0004954840.tif 000007
【図７】
0004954840.tif 000008
【図８】
0004954840.tif 000009
【図９】
0004954840.tif 000010
【図１０】
0004954840.tif 000011
【図１１】
0004954840.tif 000012
【図１２】
0004954840.tif 000013
【図１３】
0004954840.tif 000014
【図１４】
0004954840.tif 000015
【図１５】
0004954840.tif 000016